(57)【特許請求の範囲】
【請求項１】
沈下防止したコンクリ−ト製側塊にのせる、軽量化して取扱い容易なド−ナツ状プラスチック製台座であって、
該台座の下面側に、外側にずれミスを防ぐためのずれ防止縁をもち、かつ、前記側塊より若干大の嵌合部を形成して、該嵌合部を前記側塊に単にのせるようにし、
該台座の上面側に、保護鉄蓋の円筒状受枠の下端に設けたフランジ状足が載置して固定できる足嵌合部を形成して、該保護鉄蓋を載置するようにし、
該台座のド−ナツの内周面に、短筒状挿入部をもつプラスチック製内蓋の挿入部を挿入して、下水臭のもれ防止になるよう密閉できるようにしたことを特徴とするコンクリ−ト製公共ます用内蓋付台座。
【請求項２】
既設のコンクリ−ト製公共ますの上部部材が不良になったとき、該上部部材を取除いた後、残存している側塊にのせる、軽量化して取扱い容易なド−ナツ状プラスチック製台座を用いる際、
該台座の下面側に、外側にずれミスを防ぐためのずれ防止縁をもち、かつ、前記側塊より若干大の嵌合部を形成して、該嵌合部を前記側塊に単にのせるようにし、
該台座の上面側に、保護鉄蓋の円筒状受枠の下端に設けたフランジ状足が載置して固定できる足嵌合部を形成して、該保護鉄蓋を載置するようにし、
該台座のド−ナツの内周面に、短筒状挿入部をもつプラスチック製内蓋の挿入部を挿入して、下水臭のもれ防止になるよう密閉できるようにした内蓋付台座を用いて既設のコンクリ−ト製公共ますを補修する工法。
【請求項３】
既設のコンクリ−ト製小口径マンホ−ルの上部部材が不良になったとき、該上部部材を取除いた後、残存している直壁ブロックにのせる、軽量化して取扱い容易なド−ナツ状プラスチック台座を用いる際、
該台座の下面側に、外側にずれミスを防ぐためのずれ防止縁をもち、かつ、前記直壁ブロックより若干大の嵌合部を形成して、該嵌合部を前記直壁ブロックに単にのせるようにし、
該台座の上面側に、保護鉄蓋の円筒状受枠の下端に設けたフランジ状足が載置して固定できる足嵌合部を形成して、該保護鉄蓋を載置するようにし、
該台座のド−ナツの内周面に、短筒状挿入部をもつプラスチック製内蓋の挿入部を挿入して、下水臭のもれ防止になるよう密閉できるようにした内蓋付台座を用いて既設のコンクリ−ト製小口径マンホ−ルを補修する工法。
【発明の詳細な説明】
【０００１】
【発明の属する技術分野】
本発明は、コンクリ−ト製小口径マンホ−ルまたはコンクリ−ト製公共ますに用いる内蓋付台座、殊に、これらの補修に用いる内蓋付台座に関するものである。
【０００２】
【従来の技術】
一般に、布設されている下水管きょには、標準耐用年数とされる５０年（蓋の耐用年数は１８年）を経て老朽化したものや、激増する通行車両による振動や荷重等によって損傷したものや、悪質下水の排出等による腐蝕したものが増加する傾向にある、といわれている。
【０００３】
そこで、かかる不良化した下水管きょを更生する工法の一つに補修工法が行われている。
【０００４】
例えば、下水本管では管の亀裂や勾配不良や目地等の各補修工法、コンクリ−ト製マンホ−ルでは鉄枠・蓋・足掛金物の取替、壁・インバ−トの各補修工法、更には、公共ますではコンクリ−ト製品の取替等の補修工法が知られている。
【０００５】
かかる補修工法では基本的には開削工法を採用しないので、費用的にも時間的にも節減でき、例えば水道・ガス・電気等の他の埋設物との調整をも省略できる。
【０００６】
その上、道路の工事期間占有もなく、建設発生土・建設廃棄物の処分も少なく  てすむ、という長所を発揮している。
【０００７】
ところで、前記コンクリ−ト製マンホ−ルの補修工法には、反転工法（既設のマンホ−ル内にライニング部材を反転挿入し、温水シャワ−で硬化させ内壁と一体化させる工法）や、形成工法（既設のマンホ−ル内に、マンホ−ル内壁状に成形した型枠を設置し、特殊樹脂を型枠とマンホ−ル内壁との間の空隙に充填して硬化させ、型枠と一体化させる工法、例えば特公平７−１８１８９号公報参照）や、ライニング工法（マンホ−ル内壁の面の腐蝕により生じた不陸をモルタル等で調整した後、スプレ−ガン等で樹脂を塗布する工法）が知られている。
【０００８】
一方、コンクリ−ト製公共ますの補修工法は、前記のようにコンクリ−ト製品の取替えが行われている。
【０００９】
すなわち、図３に示す、ごく一般のコンクリ−ト製公共ます１Ａは、上方から鋳鉄または鉄筋コンクリ−ト製の蓋２Ａが地表面ＧＬと面一になって密閉されている縁塊（縁石ブロック）３Ａと、埋設深さを調節する側塊（直壁ブロック）４Ａと、インバ−ト５を形成した底塊（インバ−トブロック）６と、から構成し、この公共ます１Ａは敷き均され、かつ、十分つき固められた、栗石または砕石からなる基礎７上に構築されて沈下しないようになっている。
【００１０】
なお、この公共ます１Ａには、宅内の少なくとも１本の流入管（不図示）と、  下水本管（不図示）に接続した（塩ビ製の）取付管８とが会合している。
【００１１】
かかる公共ます１Ａでは、それが道路下に埋設されることがあって、激増する通行車両の荷重等により蓋２Ａの割れ等損傷があれば、これを取替える補修工法が行われている。
【００１２】
また、このコンクリ−ト製公共ます（１Ａ）の補修工法について、次のような  提案が紹介されている（特開２００１−１８２１４４号公報参照）。
【００１３】
この提案は、前記コンクリ−ト製マンホ−ルの補修工法の一つである形成工法に類似するものと思われるが、既設のコンクリ−ト製公共ます（１Ａ）内に、この公共ます（１Ａ）より相当縮小した新規の塩ビ製公共ますを入れ、既設のコンクリ−ト製公共ます（１Ａ）のインバ−トに載置すると共に、その接合部分たる流出・入口にも新規の塩ビ製公共ますの流出・入口を内嵌し、しかも、新規の塩ビ製公共ますの点検筒を、既設のコンクリ−ト製公共ます（１Ａ）の側塊の一部（または少なくとも縁塊）（４Ａ）より低くし、この点検筒に内蓋をかぶせると共に、この側塊と点検筒との間の空間にモルタルを注入する、という既設のコンクリ−ト製公共ます（１Ａ）の補修工法を提唱している。
【００１４】
そして、この提案によると、既製のコンクリ−ト製公共ますを掘り起こすこと  なく、更には、この公共ますの各接続部分を埋設された状態においての補修でないので、全体として既設のコンクリ−ト製公共ますの補修が容易にできる、とされている。
【００１５】
【発明が解決しようとする課題】
ところが、前記図３で説明した一般的なコンクリ−ト製公共ます１Ａの補修工法では、割れた蓋２Ａを取替えるとすれば、縁塊３Ａも当然摩損があって、これと相俟って、新規な蓋では密閉がきかず、下水臭の漏洩や浸入水があり、仮に縁塊も新規にして、これに新規な蓋をかぶせても、本来、この蓋では密閉蓋を構成することは困難（不完全密閉）であることから、下水臭の漏洩や雨水の浸入は完全には防げない、という問題が考えられる。
【００１６】
その上、標準耐用年数５０年にはならない迄も、古い既設の側塊４Ａに新規の縁塊を接続するには、互いの接合面積が小さいだけに、違和感（例えば、偏心支持）を生じ、更に重い新規の縁塊を人手等で取扱うのは容易ではなく、ひいては、簡易な補修工法にはならない。
【００１７】
また一方、前記提案で説明したコンクリ−ト製公共ます（１Ａ）の補修工法で  は、次のような問題が考えられる。
【００１８】
（１）既設のコンクリ−ト製公共ます（１Ａ）内に新規な塩ビ製公共ますを入れるため、この新規な塩ビ製公共ますを、インバ−ト部材と、流入側接続体と、流出側接続体と、点検筒（立上り管）とに分解し、これらを既設のコンクリ−ト製公共ます（１Ａ）内で組立て接着する作業となり、既設のコンクリ−ト製公共ます（１Ａ）の内径が４５０ｍｍφの場合、その深さ（地表より流出口の管底までをいう）が１２００ｍｍもあって（東京都の標準寸法）、その作業はきわめて面倒となる。
【００１９】
（２）この提案の補修工法は、既設のコンクリ−ト製公共ます（１Ａ）が標準耐用年数５０年を経過した老朽化した公共ますに適用するものであって、標準耐用年数１８年の蓋に対する補修でないので、蓋等上部部材のみの補修には不経済となり採用できない。
【００２０】
そこで本発明は、前記一般の既設のコンクリ−ト製公共ますで考えられる部分補修工法や、前記提案のコンクリ−ト製公共ますの補修工法における諸問題を、発想を転換して、解決することを主たる目的とすると共に、新規な従来一般のコンクリ−ト製公共ますにおける不備を補うことを従たる目的とするものである。
【００２１】
【課題を解決するための手段】
かかる目的を達成するため、本発明の要旨とするところは、１）沈下防止したコンクリ−ト製側塊にのせる、軽量化して取扱い容易なド−ナツ状プラスチック製台座であって、該台座の下面側に、外側にずれミスを防ぐためのずれ防止縁をもち、かつ、前記側塊より若干大の嵌合部を形成して、該嵌合部を前記側塊に単にのせるようにし、該台座の上面側に、保護鉄蓋の円筒状受枠の下端に設けたフランジ状足が載置して固定できる足嵌合部を形成して、該保護鉄蓋を載置するようにし、該台座のド−ナツの内周面に、短筒状挿入部をもつプラスチック製内蓋の挿入部を挿入して、下水臭のもれ防止になるよう密閉できるようにしたことを特徴とするコンクリ−ト製公共ます用内蓋付台座にあり、また、２）既設のコンクリ−ト製公共ますの上部部材が不良になったとき、該上部部材を取除いた後、残存している側塊にのせる、軽量化して取扱い容易なド−ナツ状プラスチック製台座を用いる際、該台座の下面側に、外側にずれミスを防ぐためのずれ防止縁をもち、かつ、前記側塊より若干大の嵌合部を形成して、該嵌合部を前記側塊に単にのせるようにし、該台座の上面側に、保護鉄蓋の円筒状受枠の下端に設けたフランジ状足が載置して固定できる足嵌合部を形成して、該保護鉄蓋を載置するようにし、該台座のド−ナツの内周面に、短筒状挿入部をもつプラスチック製内蓋の挿入部を挿入して、下水臭のもれ防止になるよう密閉できるようにした内蓋付台座を用いて既設のコンクリ−ト製公共ますを補修する工法にあり、また、３）既設のコンクリ−ト製小口径マンホ−ルの上部部材が不良になったとき、該上部部材を取除いた後、残存している直壁ブロックにのせる、軽量化して取扱い容易なド−ナツ状プラスチック台座を用いる際、該台座の下面側に、外側にずれミスを防ぐためのずれ防止縁をもち、かつ、前記直壁ブロックより若干大の嵌合部を形成して、該嵌合部を前記直壁ブロックに単にのせるようにし、該台座の上面側に、保護鉄蓋の円筒状受枠の下端に設けたフランジ状足が載置して固定できる足嵌合部を形成して、該保護鉄蓋を載置するようにし、該台座のド−ナツの内周面に、短筒状挿入部をもつプラスチック製内蓋の挿入部を挿入して、下水臭のもれ防止になるよう密閉できるようにした内蓋付台座を用いて既設のコンクリ−ト製小口径マンホ−ルを補修する工法にある。
【００２２】
【発明の実施の形態】
本発明を、添付図面に示す実施例により詳細に述べる。
【００２３】
図１は本発明の補修工法を適用した第１の実施例の補修公共ますの模式縦断面図、図２は同第２の実施例の補修公共ますの模式縦断面図であって、従来例を示す図３と同一または共通部分は同一符号を付し、その説明を省略ないし簡略化している。
【００２４】
本実施例の既設のコンクリ−ト製公共ます１Ａの補修ます１は、内径（または内法幅）３００ｍｍ以上の円形（または角形）とし、ますの深さは例えば内径３００ｍｍφで合流本数が３本までの場合６００ｍｍまで、ないし、内径（内法幅）４５０ｍｍφで合流本数が５本までの場合１２００ｍｍまで、のものに好適であって、宅地と道路との境界近傍、特に道路に埋設されるが、車庫等車両の静的荷重が作用する場所にも都合がよい。
【００２５】
かかる既設のコンクリ−ト製公共ます１Ａは、前記のように標準耐用年数が５０年とされるが、その蓋（２Ａ）の標準耐用年数はそれより相当短く１８年になっていること、更には、車両等の激増や地盤沈下や道路の舗装の打ち替え等により、その上部部材は老朽化・損傷化により早く不良となるので、その不良箇所の部分補修をするため、本発明の実施例は、当該既設のコンクリ−ト製公共ます１Ａにおける蓋（２Ａ）および縁塊（上部部材の一つ）（３Ａ）を取外し、新規の密閉内蓋９付の、沈下防止体たる台座１０を、残存している既設の側塊４上に単にのせた後、この台座１０に地表面ＧＬと略面一になった開閉自在の保護鉄蓋（保護蓋）２を載置し、前記内蓋９を保護する補修工法としている。
【００２６】
この補修工法によると、既設のコンクリ−ト製公共ます（会所ます）１Ａにおける縁塊（３Ａ）および蓋（２Ａ）等の上部部材以外の部材は不良品でなく、しかも、標準耐用年数内にあって、そのまま利用踏襲できるので、補修工法における一般的な各種の長所を発揮できるばかりか、台座１０の内蓋９で公共ます１Ａを完全密閉でき、下水臭の漏洩や雨水等の浸入水を防止することができる。勿論、台座１０と側塊４とはアスファルト等で固められてスキマをなくしている。
【００２７】
その上、台座１０を再生プラスチック（ＰＥ、ＰＰ）で形成すると、軽量化して取扱い容易にできるばかりか、単なる載置より、いずれの既設の側塊４にも、接合にゆとりがあって齟齬なく適合でき、ひいては全体の作業性を特段に向上させることができる。
【００２８】
次に、かかる補修工法に用いる部材を、図１に示す実施例により詳細に述べる。
【００２９】
先ず、「台座１０」であるが、これはド−ナツ状プラスチック射出成形品であって、その成形はきわめてラフなものとして生産費がかからず、再生プラスチック材と相俟ってきわめて安価に生産することができ、その上、沈下防止体としての強度を確保できるものである。
【００３０】
この台座１０の下面側には、既設の側塊４の外径（外寸法）より若干大の嵌合部１１を形成して、この嵌合部１１の外側のずれ防止縁１２を形成して舗装作業のズレミスを防いでいる。
【００３１】
また、この下面側の嵌合部１１の内側には、台座１０のド−ナツ状の内周面１３に向け逆漏斗状の斜面１４を形成し、肉ヌスミにすると共に、点検・掃除に支障のないようにしている。
【００３２】
また、この台座１０の上面側には、その中心側に内蓋９の取っ手１５が収容できる収容部１６を形成して、内蓋９の外向きフランジが当接できるようにすると共に、肉ヌスミにもなっている。したがって、これらの肉ヌスミと、再生プラスチックとで更に軽量化している。なお、この台座１０の外周形状は、角形状であっても構わない。
【００３３】
この上面側の外周側には、前記保護鉄蓋２のフランジ状足１７が載置して固定できる足嵌合部１８を形成している。
【００３４】
そして、前記内周面１３の内径は、内蓋９の挿入部１９と略同一に構成し、内蓋９を挿入したとき完全密閉ができるようにしている。
【００３５】
また、内周面１３の上下寸法は、内蓋９の挿入部１９の略軸長と同一にしている。
【００３６】
次に、「内蓋９」であるが、これはプラスチック射出成形品であって、その下  面に短筒状挿入部１９が一体に形成されたナベブタ状になっており、その上面に取っ手１５が、その外周に外向きフランジが、それぞれ一体に形成されている。
【００３７】
また、前記挿入部１９には、シ−ルリング（ゴム輪）２０が外嵌されて完全密閉にしている。
【００３８】
なお、この内蓋９は、アロン化成株式会社製の「鋳鉄製防護ふた用内ふたＩＴＯ−Ｒ」として量産化された実績のある安価なものを転用することができる。
【００３９】
次に、「保護鉄蓋２」であるが、これはダクタイル鋳鉄製であって車両等の路面荷重に耐えられ、しかも、バ−ル等を用いて容易に開くことができ、その上、蓋の盗難・散逸防止にもなっているもので、円板状の開閉自在の鉄蓋２１と、これを密接内嵌して支持する円筒状の受枠２２と、鉄蓋２１と受枠２２とを連結するリンク蝶番２３と、から大略構成している。
【００４０】
この鉄蓋２１のリンク蝶番２３の対向部にバ−ル穴２４を開口し、鉄蓋２１の開蓋を容易にしている。
【００４１】
また、受枠２２の下端には、前記フランジ状足１７が一体に設けてあって、台座１０の上面に載置すると共に、内周面１３にも内接するようにしたフラップを形成している。
【００４２】
したがって、この受枠２２と台座１０とは、受枠２２や台座１０の外側のコンクリ−トないしアスファルトの舗装部と相俟って、強固に一体化して水平状荷重によりズレることはない。
【００４３】
なお、この保護鉄蓋２は、アロン化成株式会社製の「鋳鉄製保護ふたＷＰＨ２０」として量産化された安価なものを、若干修正して転用することができる。
【００４４】
なお、台座１０と受枠２２との固定には、好ましくはボルト締めやバヨネット結合機構を用いる。
【００４５】
次に、図２に示す第２の実施例における部材を詳細に述べる。
【００４６】
なお、前記図１と共通する部分は省略するので、そのまま補充することができる。
【００４７】
台座１０の内周面１３と内蓋９の挿入部１９との間に、外向きフランジ２５付の塩ビ等プラスチックの短管２６を介在させて、内蓋９の完全密閉を射出成形による精密嵌合や、シ−ル嵌合により、向上させると共に、台座１０の生産金型をラフにして安価にしている。
【００４８】
したがって、この台座１０には、コンクリ−トを用いてもよく（勿論、プラスチック製でもよい）、保護鉄蓋２とコンクリ−ト製台座１０とを分離している分、従来の縁塊より軽量化して取扱容易にしている。
【００４９】
この短管２６は、ガイドパイプともいうべきもので、外向きフランジ２５を複  数のボルト２７等で台座１０に縫付け固着している。
【００５０】
なお、第１および第２の実施例は、いずれも既設のコンクリ−ト製公共ます１Ａで説明したが、本発明はこれに限らず、既設のコンクリ−ト製小口径マンホ−ル（例えば１号マンホ−ル）にも適用できるばかりでなく、単なるコンクリ−ト製ますや新規のコンクリ−ト製公共ますにも適用できるものである。
【００５１】
【発明の効果】
本発明によると、沈下防止した台座に密閉内蓋を設けるので、やや大きめにした保護鉄蓋や台座は勿論、塩ビ製小口径マンホ−ルやますにも転用でき、該密閉内蓋の共通化・汎用化が図られ、不要であれば取外しもでき、更には、沈下防止した既設または新設のコンクリ−ト製側塊にド−ナツ状の台座をかぶせ、該台座の内側に内蓋を設けて密閉し、その上部を保護鉄蓋でカバ−したので、頻繁に不良化される上部部材の一部補修工法にとって好都合となり、しかも、下水臭の漏洩や雨水等の浸入水の完全防止ができるばかりか、沈下防止した側塊に台座をかぶせたので、従来慣用されている塩ビ製マンホ−ルに使う台座より、自然につき固められた既設の側塊だけに、一層強固に支持できるのみならず、その取扱いが容易となる。
【図面の簡単な説明】
【図１】  本発明の第１の実施例である。
【図２】  第２の実施例である。
【図３】  従来例である。
【符号の説明】
１…補修公共ます、１Ａ…公共ます、２…保護鉄蓋、３Ａ…縁塊、４…側塊、９…内蓋１０…台座
【図１】
0003804010.tif 000002
【図２】
0003804010.tif 000003
【図３】
0003804010.tif 000004